(57)【要約】【課題】  演出手段としての電気的な液晶表示装置に代えて、文字、数字、絵柄等の図柄を表示した、または着色した機械的な表示スクリーンによって、メダル獲得等の期待感の演出を初めとし、その他多種に亘って様々な演出を行う安価なスロットマシンを提供することにある。【解決手段】  外周面に複数個の図柄を表示したリールの図柄の組合せに応じて、遊技者にメダルを付与するスロットマシンにおいて、前記リールとは別に、文字、数字、絵柄等の図柄を表示し、連続または間欠回動する表示スクリーンを備えたスロットマシン。【選択図】  図２
2005102989.tif 000002
【特許請求の範囲】
【請求項１】
外周面に複数個の図柄を表示したリールの図柄の組合せに応じて、遊技者
にメダルを付与するスロットマシンにおいて、
前記リールとは別に、文字、数字、絵柄等の図柄を表示し、連続または間欠回動する表示
スクリーンを備えたことを特徴とするスロットマシン。
【請求項２】
外周面に複数個の図柄を表示したリールの図柄の組合せに応じて、遊技者
にメダルを付与するスロットマシンにおいて、
前記リールの前面に、リールの一部の図柄と同色に着色した表示スクリーンを配置し、該
図柄を略半透明として、ボーナス、アシストタイムパターン、およびアシスト機能などの
遊技抽選結果を予告又は告知することを特徴とするスロットマシン。
【請求項３】
外周面に複数個の図柄を表示したリールの図柄の組合せに応じて、遊技者
にメダルを付与するスロットマシンにおいて、
前記リールの前面に、背部のリール図柄が見える透過部と、背部のリール図柄が見えない
マスキング部を設けた表示スクリーンを配置し、ゲームに応じてリールの図柄表示数を瞬
時に変更できることを特徴とするスロットマシン。
【発明の詳細な説明】
【技術分野】
【０００１】
本発明は、スロットマシンに関し、詳しくは、文字、数字、絵柄等の図柄を表示した、
若しくは、任意の色を着色した表示スクリーンを備えるスロットマシンに関するものであ
る。
【背景技術】
【０００２】
スロットマシンには様々な入賞種類がある。その入賞種類の内容によって獲得メダル数
が異なる。その中で、通常のゲームに比べて入賞確率が高いボーナス入賞等が得られるか
が遊技者にとってゲームでの重大な関心事である。
【０００３】
近年、遊技者に遊技（メダル獲得）の期待感を持たせるための手段として、リールと並
べて液晶表示装置を搭載したスロットマシンが提案されている。そして、様々な演出効果
を高める液晶表示装置を備えたスロットマシンが、下記の特許文献に開示されている。
【特許文献１】特開２００１−３５３２５７号公報
【特許文献２】特開２００３−１７５１５６号公報
【０００４】
上記特許文献１の構成を記載すれば、演出表示ランプや補助リールに代えて、ゲームの
進行状態などを表示して遊技者に期待感を持たせ、ゲームの進行に興味を持たせてゲーム
に面白味を与える手段としての液晶表示装置のディスプレイを主リールと並べるように正
面板に配置し、種々の表示を液晶表示装置のディスプレイにより行うものである。
【０００５】
同様に、上記特許文献２の構成を記載すれば、液晶表示部には、ビックボーナスで獲得
したメダル枚数および獲得したＡＴ（アシストタイム）抽選権利の数（ストック数）が表
示され、特別状態の抽選が行われるまで遊技者の期待感を長い間持続させ、且つその期待
感を各ステップに沿って段階的に高めることを可能としたものである。
【発明の開示】
【発明が解決しようとする課題】
【０００６】
ところが、様々な演出効果を高める液晶表示装置は高価なものであり、スロットマシン
の製造メーカーにあっては大きな負担となっていた。結果、安価なスロットマシンを遊技
店に提供出来ない等の問題が生じていた。
【０００７】
また、遊技店に於いては、同一機種にあっては、画一的な表示内容（演出効果）であっ
て、他店との差別化が図られないものであった。これも、液晶表示装置の表示内容に多額
の開発費を必要とするため、例えば、遊技店独自（オリジナル）の表示内容を持つ液晶表
示装置を提供できないことに起因している。
【０００８】
本発明は、上記の事情に鑑みてなされたもので、演出手段としての電気的な液晶表示装
置に代えて、文字、数字、絵柄等の図柄を表示した、または着色した機械的な表示スクリ
ーンによって、メダル獲得等の期待感の演出を初めとし、その他多種に亘って様々な演出
を行う安価なスロットマシンを提供することにある。
【課題を解決するための手段】
【０００９】
上記の課題を解決するために、本発明の請求項１のスロットマシンは、外周面に複数個
の図柄を表示したリールの図柄の組合せに応じて、遊技者にメダルを付与するスロットマ
シンにおいて、前記リールとは別に、文字、数字、絵柄等の図柄を表示し、連続または間
欠回動する表示スクリーンを備えたことを特徴とする。
【００１０】
また、本発明の請求項２のスロットマシンは、外周面に複数個の図柄を表示したリール
の図柄の組合せに応じて、遊技者にメダルを付与するスロットマシンにおいて、前記リー
ルの前面に、リールの一部の図柄と同色に着色した表示スクリーンを配置し、該図柄を略
半透明として、ボーナス、アシストタイムパターン、およびアシスト機能などの遊技抽選
結果を予告又は告知することを特徴とする。
【００１１】
また、本発明の請求項３のスロットマシンは、外周面に複数個の図柄を表示したリール
の図柄の組合せに応じて、遊技者にメダルを付与するスロットマシンにおいて、前記リー
ルの前面に、背部のリール図柄が見える透過部と、背部のリール図柄が見えないマスキン
グ部を設けた表示スクリーンを配置し、ゲームに応じてリールの図柄表示数を瞬時に変更
できることを特徴とする。
【発明の効果】
【００１２】
本発明のスロットマシンによれば、高額な液晶表示装置に代えて、安価な機械的表示装
置である表示スクリーンによって、例えば所定の入賞役の当選や、遊技者が狙った図柄の
組合せ得られるように停止操作のタイミングの報知を初め、種々様々な表示、演出を可能
にする。
【００１３】
また、種々の図柄、着色等を、各遊技店で選択可能としたことにより、スロットマシン
の製造メーカーが提供する同一機種であっても、その選択により、遊技店においては他店
との差別化が図られ、また、製造メーカーにあってはバラエティなスロットマシンを提
供することができる。
【００１４】
また、ゲームに応じてリールの図柄表示数を瞬時に変更（リール図柄の一部を隠す）す
るように成し、ゲーム有効ラインの配列を変更可能としたことにより、ゲームの興趣を
増大できる。
【発明を実施するための最良の形態】
【００１５】
以下、本発明の実施例について、図１に示すスロットマシンの正面図を参照しながら
説明する。
本実施例のスロットマシン１は、略中央上部には、表示窓２が配置されている。表示窓
２の内部には、外周面に複数個の数字、絵柄等の図柄を表示したリール３ａ〜３ｃが左右
に３個並んだ状態で配置されている。
【００１６】
上記表示窓２は、上部、中央、下部の３つの位置で、各リール３ａ〜３ｃの図柄を表示
することができる。そして各リール３ａ〜３ｃの上部を結ぶ水平な上部ラインと、中央を
結ぶ水平な中央ラインと、下部を結ぶ水平な下部ラインと、さらに、左上部から右下部を
結ぶ右下がりラインと、右上部から左下部を結ぶ左下がりラインのうち、投入したメダル
枚数によって特定の図柄が揃った場合に入賞となるものである。
【００１７】
上記した表示窓２の下方には、前方に突出する突出部４が形成されている。この突出部
４の右上面には、遊技を行うに際してメダルを投入するメダル投入口５が設けられている
。左前面には、メダルが投入された後にリール３ａ〜３ｃの回転をスタートさせるスター
トレバー６が設けられている。前面中央には、上記リール３ａ〜３ｃの回転を停止させる
ストップボタン７ａ〜７ｃが、各リール３ａ〜３ｃに対応して設けられている。
【００１８】
上記した表示窓２の上部には、スクロール表示部８が設けられている。このスクロール
表示部８は、ビックボーナス、レギュラーボーナスと呼ばれる特別な図柄が揃う確率が高
くなるボーナス予告や、このスクロール表示部８の図柄が入賞ラインに揃うとボーナスゲ
ームの演出を始める他、特定ゲーム数の間、通常時通よりもリプレイ確率が大幅にアップ
するＲＴ（リプレイタイム）、小役の成立をアシストするＡＴ（アシストタイム）、小役
を狙って揃えることができるＣＴ（チャレンジタイム）、その他各遊技店によって様々な
情報等を表示するものである。
【００１９】
更にその上部には、特定図柄が揃ったときに点灯・点滅するボーナス表示ランプ１０が
立体的に前面に突出して設けられている。
【００２０】
また、上記表示窓２の右隣には、メダルのクレジット枚数、獲得枚数、更にはエラー表
示を行う表示部１１が設けられている。
【００２１】
また、上記突出部４にあっては、当該スロットマシン１のキャラクター等の絵柄が表示
されたパネル１２が設けられている。
【００２２】
そして、パネル１２の下部には、入賞によってメダルが払い出されるメダル払出口１３
と、そのメダル等を受け入れるメダル受け皿１４が設けられている。
【００２３】
次に、上記スクロール表示部８に配置される表示スクリーン機構について図２を参照に
説明する。
スクロール表示部８には、表示スクリーン機構９が設けられている。該表示スクリーン
機構９は、文字、数字、絵柄等の図柄を表示した表示スクリーン９ａが、バー９ｂ、９ｂを介して、駆動ローラ９ｃと従動ローラ９ｄに巻装されている。そして、駆動モータ９ｅ
の正逆回転によって、駆動ローラ９ｃまたは従動ローラ９ｄの上下方向に連続または間欠
回動する。
【００２４】
また、上記従動ローラ９軸ｆには、スパイラルバネ９ｇが取り付けられている。該スパ
イラルバネ９ｇは、従動ローラ９ｄに表示スクリーン９ａが巻き取られるように回転する
と中心に向かって圧縮し、逆に、駆動ローラ９ｃに表示スクリーン９ａが巻き取られる場
合にあっては、外側に伸びるように広がり、表示スクリーン９ａの弛みを防止する。
【００２５】
また、表示スクリーン９ａの背部には常時または特別な入賞図柄が揃った時のみに発光
する電球、ＬＥＤ等の発光体９ｈが設けられていて、前記図柄を光らせる。
【００２６】
次に、図３を参照に、上記表示スクリーン機構９を、ボーナス表示ランプ１０に取り付
けた場合について説明する。
先のスクロール表示部８で示した、平面状に上下スクロールするものと若干異なり、上
部パネル１１の形状に合わせて上方に向かって突出するように傾斜した正面と上面を、発
光体９ｈにて表示スクリーン９ａの着色を投光し、当該ボーナス表示ランプ１０を点灯・
点滅せしめ、ボーナス入賞を報知する。この場合、表示スクリーン９ａに種々の着色がな
されていれば各遊技店で表示色を選択できるものである。
【００２７】
また、図４、図５に示すように、スロットマシン１のキャラクター等を印刷した表示ス
クリーンをパネル１２に設けても良い。この場合も、種々の図柄を各遊技店で選択可能と
するならば、例え同一機種であっても他店との差別化が図られる。
以上説明したように、同一機種にあっては画一的であったスロットマシンもバラエティ
にとんだものとなる。
【００２８】
また、表示スクリーン機構９の他の実施例として、例えば大当りの組み合わせとなる「７」
が得られるようにある特定図柄部分のみにやや不透明となるよう同色に着色した表示スク
リーン９ａをリール３ａ〜３ｃの前面に配置する。
而して、前記所定の図柄が表示窓２の前を通過する時には、表示スクリーン９ａの着色
によってやや不透明となり、上記ビックボーナス或いはレギュラーボーナスの入賞を得る
ためのリール３ａ〜３ｃ停止のタイミングを遊技者に報知するアシスト機能としての利用
も提供できる。
【００２９】
更に、上記同様に、リールの前面に背部のリール図柄が見える透過部と、背部のリー
ル図柄が見えないマスキング部を設けた表示スクリーン９ａを配置することで、例えば
、図６に示すように、リール３ｂの上部と下部の図柄を隠し、ゲーム有効ラインの配列を
変更可能とし、従来にないゲームの興趣を増大するものである。
【００３０】
以上、表示スクリーンは、上下方向にスクロール表示するものと説明したが、左右方向
に、また、エンドレスにスクロール表示する構造のものであっても良い。
【図面の簡単な説明】
【００３１】
【図１】本発明によるスロットマシンの正面図。
【図２】本発明のスロットマシンに供される表示スクリーン機構の背面を示す斜視図。
【図３】ボーナス表示ランプに配置される表示スクリーン機構を示す斜視図。
【図４】パネルに配置される表示スクリーン機構の正面を示す斜視図。
【図５】表示スクリーン機構をパネルに取付けた状態を示す斜視図。
【図６】図１に示すスロットマシンの表示窓に表示スクリーン機構を配置した実施例における有効入賞ライン状態を示す図。
【符号の説明】
【００３２】
１                  スロットマシン
２                  表示窓
３ａ、３ｂ、３ｃ    回転体
７ａ、７ｂ、７ｃ    ストップボタン
８                  スクロール表示部
９                  表示スクリーン機構
９ａ                表示スクリーン
９ｂ                バー
９ｃ                駆動ローラ
９ｄ                従動ローラ
９ｅ                駆動モータ
９ｆ                従動ローラ軸
９ｇ                スパイラルバネ
９ｈ                発光体
１０                  ボーナス表示ランプ
１２                  パネル
【図１】
2005102989.tif 000003
【図２】
2005102989.tif 000004
【図３】
2005102989.tif 000005
【図４】
2005102989.tif 000006
【図５】
2005102989.tif 000007
【図６】
2005102989.tif 000008